(57)【要約】【課題】  シリンダ錠の半径方向の寸法を小さくする。【解決手段】  外筒１と、内筒２と、この内筒外周面に形成された案内溝と、この案内溝に収納されたロッキングバー３と、複数のタンブラー４、４とを有し、鍵孔に合鍵を挿入したとき、タンブラーの解錠切欠がロッキングバー３に整合するようにしたものにおいて、外筒の外端開口縁部に厚肉リング状の前面閉塞部を一体に形成し、その内面にロッキングバーの外端が係入でき、傾斜面を有する窪み１２を形成し、一方、ロッキングバーを外方に付勢すると共に、ロッキングバー３の内面に、タンブラーと同数の突歯１５、１５を一体的に形成し、各突歯の大きさを上記解錠切欠を潜り抜けることができるように設定すると共に、各突歯のロッキングバー内面における形成位置を、施錠時対応するタンブラーの外方においてタンブラーに近接するように設定する。【選択図】  図２
2008223386.tif 000002
【特許請求の範囲】
【請求項１】
外筒と、その内側において回動可能に嵌合する内筒と、この内筒外周面の一の角度位置においてその母線方向に延在するように形成された案内溝と、この案内溝に収納され、長さ方向に移動可能に案内されたロッキングバーと、内筒内において中心軸線に沿って配設され、中心軸線に垂直な平面内において可動に案内されると共に、外端縁に解錠切欠を形成した複数のタンブラーとを有し、鍵孔に合鍵を挿入したとき、合鍵と各タンブラーとの係合によりタンブラーの解錠切欠が移動してロッキングバーに整合するようにしたものにおいて、外筒の外端開口縁部に厚肉リング状の前面閉塞部を一体に形成し、この前面閉塞部内面の施錠時上記ロッキングバーと整合する位置にロッキングバーの外端が係入でき、傾斜面を有する窪みを形成し、一方、ロッキングバーを外方に付勢すると共に、内筒中心軸線に対向するロッキングバーの内面に、各タンブラーに対応させて、タンブラーと同数の突歯を一体的に形成し、各突歯の大きさを上記解錠切欠を潜り抜けることができるように設定すると共に、各突歯のロッキングバー内面における形成位置を、施錠時対応するタンブラーの外方においてタンブラーに近接するように設定したことを特徴とするシリンダ錠。
【発明の詳細な説明】
【技術分野】
【０００１】
この発明は、シリンダ錠に係り、特に、半径方向の寸法を小さくし得るシリンダ錠に関する。
【背景技術】
【０００２】
本出願人は先に、下記特許文献１を以て、新規な可変シリンダ錠を提案した。
この可変シリンダ錠は、外筒と、この外筒の内側に回動可能に嵌合する内筒とを有してなり、外筒の内周面の一の角度位置に、その母線に沿って横断面Ｖ字形のカム溝を形成すると共に、このカム溝から内筒の回動角度以上隔たった他の角度位置に作動溝を形成し、一方、内筒をその回動軸に平行な平面により内筒Ａと内筒Ｂとに分割して、内筒の回動軸を含む鍵孔を内筒Ａ側に残し、また、内筒Ａにより内筒Ｂを回動軸線方向の動きを拘束すると共に、内筒Ａに関し内筒Ｂを半径方向に移動可能に案内し、更にまた、内筒Ｂを内筒Ａから離間する方向に付勢し、他方、内筒Ａの回動軸に沿って列設された複数のスロットの夫々に、鍵挿通孔を開口させた板状のタンブラーＡを内筒半径方向に移動可能に挿設すると共に各タンブラーＡを所定の方向に付勢し、また、各タンブラーＡの内筒Ｂ側の側端縁に突歯列を形成し、一方、内筒Ｂの内筒Ａに対向する面に、各タンブラーＡに対応して、同数のタンブラーＢを半径方向に移動可能に配設すると共に、各タンブラーＢのタンブラーＡ側に、タンブラーＡの突歯列と噛み合い可能な突歯列を形成し、また、各タンブラーＢの突歯列とは反対側の部分に解錠切欠を形成し、更にまた、内筒Ｂの外筒内周面に対向する側に、外筒の母線方向に延在し、外側を上記カム溝と係合可能な断面Ｖ字形に成形すると共に、内側に上記タンブラーＢの解錠切欠に係入可能な突条を形成したロッキングバーを内筒半径方向に移動可能に支承し、更に、このロッキングバーを外方に、すなわち、外筒のカム溝に進入する方向に付勢し、以て、内筒の鍵孔に合鍵を挿入したとき、合鍵の鍵溝とタンブラーＡの開口端縁との係合によって定まる各タンブラーＢの解錠切欠の位置をロッキングバーの突条に整合可能にし、他方、内筒の内端に、テールピースの外端を相対回動可能に連結すると共に、その摺動面に跨がるように、外方に付勢された連結ピンを設け、以て常態においては内筒とテールピースを一体的に結合し、また、外筒に上記連結ピンの頂部を内筒とテールピースの摺動面に整合させて内筒とテールピースの結合を解く解除部材を配設したことを特徴とするものである。
【特許文献１】特願２００６−１５４００２
【特許文献２】特開２０００−２９１３００
【特許文献３】特開２００３−２２６８３３
【発明の開示】
【発明が解決しようとする課題】
【０００３】
上記特許文献１に記載された発明によるシリンダ錠は、外筒の内周面の一の角度位置に、その母線に沿って横断面Ｖ字形のカム溝が形成されており、このカム溝に、内筒中心方向に付勢されたロッキングバーが収納されている。
【０００４】
そして、内筒の鍵孔に合鍵を挿入すると、各タンブラーに形成された解錠切欠がロッキングバーの内側に形成された突条に整合するので、内筒と外筒との相対回動によってロッキングガイド内筒中心方向に移動可能になり、このようにしてこのシリンダ錠は解錠される。
【０００５】
上記特許文献２及び３に記載された所謂レバータンブラー錠或いはロータリーディスクタンブラー錠も、上記した特許文献１によるシリンダ錠とそのロック機構を同一にしている。
【０００６】
しかして、これら特許文献１乃至３に例示したシリンダ錠は、外筒の内周面の一の角度位置に、その母線に沿って横断面Ｖ字形のカム溝を形成する、という共通した構成を有するので、外筒の強度を保つため外筒を厚くする（特許文献１の図１参照）とか、或いは外筒の外周面のカム溝と同じ角度位置に突条を形成する（特許文献２の図２参照）など、構造上或いはデザイン上制約を受ける。
【０００７】
そこで、この発明は、外筒におけるＶ字形のカム溝を廃し、半径方向の寸法を小さくし得るシリンダ錠を提供することを目的としている。
【課題を解決するための手段】
【０００８】
上記の目的を達成するため、請求項１に記載の発明は、外筒と、その内側において回動可能に嵌合する内筒と、この内筒外周面の一の角度位置においてその母線方向に延在するように形成された案内溝と、この案内溝に収納され、長さ方向に移動可能に案内されたロッキングバーと、内筒内において中心軸線に沿って配設され、中心軸線に垂直な平面内において可動に案内されると共に、外端縁に解錠切欠を形成した複数のタンブラーとを有し、鍵孔に合鍵を挿入したとき、合鍵と各タンブラーとの係合によりタンブラーの解錠切欠が移動してロッキングバーに整合するようにしたものにおいて、外筒の外端開口縁部に厚肉リング状の前面閉塞部を一体に形成し、この前面閉塞部内面の施錠時上記ロッキングバーと整合する位置にロッキングバーの外端が係入でき、傾斜面を有する窪みを形成し、一方、ロッキングバーを外方に付勢すると共に、内筒中心軸線に対向するロッキングバーの内面に、各タンブラーに対応させて、タンブラーと同数の突歯を一体的に形成し、各突歯の大きさを上記解錠切欠を潜り抜けることができるように設定すると共に、各突歯のロッキングバー内面における形成位置を、施錠時対応するタンブラーの外方においてタンブラーに近接するように設定したことを特徴とする。
【発明の効果】
【０００９】
上記のように構成された請求項１及び２に記載の発明によるシリンダ錠は、内筒が外筒に対して相対的に回動するとき、ロッキングバーが内筒半径方向に動かず、内筒外周面の母線に沿ってその長さ方向に移動するので、従来の同種のシリンダ錠のように外筒内周面に断面Ｖ字形のカム溝を形成する必要が無い。
【００１０】
そのため、シリンダ錠の半径方向の寸法を小さくすることができ、構造上或いはデザイン上の制約が無くなる、という所期の効果を奏する。
【発明を実施するための最良の形態】
【００１１】
鍵孔に合鍵を挿入したとき各タンブラーの解錠切欠がロッキングバーと整合するタイプのシリンダ錠において、この整合状態をロッキングバーの半径方向の動きでなく、長さ方向の移動によって検知する、という発想の転換により、シリンダ錠の外筒の半径方向の寸法を小さくすることができた。
【実施例１】
【００１２】
以下、請求項に記載の発明の一実施例を図面を参照して説明する。
図１乃至図３において符号１は外筒を、符号２は内筒を夫々示し、内筒２は外筒１の内側において相対回動可能に嵌合していることは一般のシリンダ錠と同様である。
【００１３】
上記内筒２の外周面の所定の角度位置、例えば図４において時計盤面に換算して６時の角度位置に、母線に沿うように形成された案内溝(付番しない)が形成されており、この案内溝に横断面が例えば凸字形のロッキングバー３(図２参照)が収納され、その長さ方向に移動可能に案内されている。
【００１４】
一方、上記内筒２内には、図２乃至図４に示すように、複数のタンブラー４、４が内筒の中心軸線に沿って配設され、夫々中心軸に垂直な平面内において移動可能に案内されている。
【００１５】
各タンブラー４は、図４及び図５に示すように、共に板状体で、全体の形状が略Ｊ字形のタンブラーＡ５と、外側に解錠切欠７を形成した細長いタンブラーＢ６とを、付番しない突歯列の噛み合わせにより連結したものである。
【００１６】
上記両タンブラー５、６は、突歯列の噛み合わせを変更することにより、図５に示すように例えば３種類に変更できる。
【００１７】
その噛み合わせの変更及び噛み合わせの変更に伴う鍵違いなどについては、この発明の要旨ではないし、また、前記特許文献１に詳細に説明されているから、ここでは更に詳細な説明は省略する。
【００１８】
要するに、図示の実施例におけるシリンダ錠は、タンブラー５、６の相対位置を変化させることによって例えば３種類の鍵違いを得ることができ、鍵孔８(図１参照)に合鍵９を挿入すると、図４に示すように、各タンブラー４の解錠切欠７がロッキングバー３に整合する。
【００１９】
そして、前記特許文献１に記載の発明においては、上記ロッキングバー３を外筒に形成された断面Ｖ字形のカム溝に収納し、内筒を外筒に対し相対的に回動させれば、カム溝とロッキングバー３との間のカム作用により、ロッキングバー３が内筒中心方向、換言すれば内筒の半径方向に移動し、内筒の回動が可能になる。換言すれば、シリンダ錠が解錠される。
【００２０】
以上の構成が特許文献１に記載の発明による可変シリンダ錠のものであるが、本願発明の特徴的な構成は、以下に述べるように、ロッキングバー３を内筒半径方向ではなく、長さ方向に駆動する点にある。
【００２１】
そのため、図３に示すように、外筒１の外端開口縁部に圧肉リング状の前面閉塞部１１が形成されている。
【００２２】
そして、図２に示すように、この前面閉塞部内面の施錠時ロッキングバー３と整合する位置に、傾斜面を有し、ロッキングバーの外端が係入できる窪み１２が形成されている。
【００２３】
図示の実施例では、この窪み１２は擂り鉢形であり、この窪みに対応して、ロッキングバー３の外端は円錐形に成形されている。
【００２４】
一方、図２に示すように、内筒内端部に設けられたテールピース１３の前面にカップ状のばねピン１４が内筒軸線方向、換言すれば図２で左右方向に移動可能に案内されており、ばねピンに内蔵された付番しない圧縮コイルばねの弾力により、外方(図２で左方)に付勢されている。
【００２５】
上記ばねピン１４はロッキングバー３の内端に当接しているから、結局、ロッキングバー３は外方に、すなわち、外端が窪み１２に係入する方向に付勢されることになる。
【００２６】
他方、ロッキングバー３の内筒中心軸線に対向する内面(図２で上面)には、その長さ方向に沿って、かつ各タンブラーに対応させて、タンブラーと同数の突歯１５、１５(図２参照)が一体的に形成されている。
【００２７】
各突歯１５の大きさは、タンブラーの解錠切欠７を潜り抜けることができるように設定されている。
【００２８】
また、各突歯１５のロッキングバー３の内面における形成位置は、施錠時対応するタンブラーの外方においてタンブラーに近接するように設定されている。
【００２９】
上記のように構成されたこの発明の一実施例によるシリンダ錠は、内筒鍵孔に合鍵を挿入すると、前記したように、各タンブラーの解錠切欠７がロッキングバー３と整合する(図４参照)。
【００３０】
この状態で合鍵を回して例えば内筒を時計方向に回動させると、前記窪み１２とロッキングバー３との角度位置がずれるため、ロッキングバー３が窪みの傾斜面との間のカム作用によって窪み１２から押し出され、内方に移動する。
【００３１】
上記したように合鍵を鍵孔に差し込んだときには全タンブラーの解錠切欠７、７がロッキングバー３に整合するから、上記ロッキングバー３の内方への移動に際し、各突歯１５は解錠切欠７を潜り抜けることができる。
【００３２】
換言すれば、内筒２の外筒１に対する相対回動が可能になり、例えば内筒を９０度回動させることによりシリンダ錠を解錠する。
【００３３】
そして、内筒２を所定の角度回動させると、図６に示すように、ロッキングバー３の外端は窪み１２を脱して前面閉塞部１２の内面に乗り上がる。
【００３４】
一方、鍵孔に合鍵ではない異鍵を挿入すると、少なくとも１個のタンブラーの解錠切欠７がロッキングバー３に整合しなくなるので、内筒を回動させたとき、このロッキングバー３に整合しないタンブラーに対応するロッキングバー内面の突歯１５か解錠切欠７を潜り抜けることができず、それ以上内筒を回動させることができないので、シリンダ錠を解錠することができない。
【００３５】
なお、図示の実施例では、図５に示すように、タンブラーＡ、Ｂ（５、６）を分割し、突歯列による噛み合わせを変化させて鍵違いを得るようにしているが、これは最初から一体に結合して３種類のタンブラーを得るようにしたシリンダ錠を考えることができ、本発明はこの様なシリンダ錠にも適用できることは言うまでもない。
【実施例２】
【００３６】
この発明は、図示の実施例に限定されず、種々に変形して実施することができる。
【００３７】
例えば、図７及び図８に示すように、窪み１２を前面閉塞部１１の円周方向に沿う同一幅のものにすれば、ロッキングバー３の外端を円錐形に成形しなくとも済む。
【実施例３】
【００３８】
また、前記特許文献２に記載された発明によるレバータンブラー錠の原形は、内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部に半径方向に移動可能に案内されると共に、上記カム溝と係合する外側縁が外方に突出する方向に付勢されたロッキングバーとを有し、上記仕切板の間の各スロットに、一端を揺動可能に軸支され、他端部にロッキングバーの内側縁を受入れる解錠切欠を形成した、全体の形状がＣ字形のタンブラーを収納したものであるが、図示をしなくても本願発明を適用できる。
【実施例４】
【００３９】
更にまた、前記特許文献３に記載されたロータリーディスクタンブラー錠は、内周面の母線に沿ってカム溝を形成した外筒と、この外筒に回転自在に嵌合し、間隙を介して中心軸線方向に積層された複数の仕切板を設けると共に、中心軸線に沿って鍵孔を貫通させた内筒と、この内筒の母線に沿って延在し、内筒の外周部において半径方向に移動可能に案内されると共に、上記カム溝と係合する外側縁が外方に突出する方向に付勢されたロッキングバーとを有し、上記仕切板の間の各スロットに、中央部に鍵孔を包囲し得る大きさの鍵挿通孔を形成した環状のロータリーディスクタンブラーを挿設し、その実体部の１ヵ所を、内筒を軸線方向に貫通する支軸に揺動可能に軸支すると共に、自由端部外側端縁に解錠切欠を形成し、一方、鍵挿通孔の開口端縁に、先端の移動軌跡が鍵孔に挿入された合鍵のブレードの平面部又は端縁部と干渉する係合突起を一体に突設し、各ロータリーディスクタンブラーをこの係合突起が合鍵に近接する方向に付勢すると共に、常態では内筒を軸線方向に貫通するバックアップピンに係止し、他方、これらのタンブラー群の係合突起の夫々が鍵孔に挿通された合鍵のブレードに形成された対応する窪みと係合したとき、各ロータリーディスクタンブラーの解錠切欠がロッキングバーの内側縁と整合するようにしたことを特徴とするものであるが、図示をしなくても本願発明を適用できる。
【図面の簡単な説明】
【００４０】
【図１】この発明の一実施例によるシリンダ錠の正面図。
【図２】その一部断面平面図。
【図３】その一部断面側面図。
【図４】その横断面図。
【図５】タンブラーの種類を示す正面図。
【図６】図３と同様の一部断面側面図で、内筒を１８０度回動させた状態を示す。
【図７】実施例２における窪みを示す前面閉塞部裏面図。
【図８】そのＶＩＩＩ−ＶＩＩＩ線による断面図。
【符号の説明】
【００４１】
１  外筒
２  内筒
３  ロッキングバー
４  タンブラー
５  タンブラーＡ
６  ドライバーＢ
７  解錠切欠
８  鍵孔
９  合鍵
１１  前面閉塞部
１２  窪み
１３  テールピース
１４  ばねピン
１５  突歯
【図１】
2008223386.tif 000003
【図２】
2008223386.tif 000004
【図３】
2008223386.tif 000005
【図４】
2008223386.tif 000006
【図５】
2008223386.tif 000007
【図６】
2008223386.tif 000008
【図７】
2008223386.tif 000009
【図８】
2008223386.tif 000010